(57)【要約】【課題】展示品管理者による展示品の管理を支援するのに好適な展示品管理支援システムを提供する。【解決手段】展示品管理支援システム１を、展示品管理者の管理下にある展示品管理用サーバ２と、商品販売業者の管理下にある情報処理端末３とを含んだ構成とし、展示品管理用サーバ２を、賃貸借情報取得部２ａと、展示品情報記憶部２ｂと、賃貸借情報送信処理部２ｃと、賃貸料金算出部２ｄと、データ通信部２ｅと、付属品情報処理部２ｆと、表示部２ｇとを含んだ構成とし、情報処理端末３を、データ通信部３ａと、賃貸借情報受信処理部３ｂと、賃貸借情報表示処理部３ｃと、賃貸料金受信処理部３ｄと、賃貸料金情報表示処理部３ｅと、付属品情報処理部３ｆと、付属品情報標示処理部３ｇと、表示部３ｈとを含んだ構成とした。【選択図】      図１
2005346143.tif 000002
【特許請求の範囲】
【請求項１】
商品販売業者が商品納入元業者から店舗に展示するために購入した展示品について、当該展示品の展示品管理者による管理を支援するためのシステムであって、
前記展示品管理者の管理下にある展示品管理用サーバと、前記商品販売業者の管理下にある情報処理端末とを備えると共に、前記展示品管理用サーバと前記情報処理端末とを通信回線を介して互いに通信可能に接続し、
前記展示品管理用サーバは、
前記展示品管理者が前記商品販売業者から買い取った展示品の前記展示品管理者と前記商品販売業者との間の賃貸借に関する情報を取得する賃貸借情報取得手段と、
前記賃貸借情報取得手段の取得内容に基づき、前記商品販売業者から買い取り且つ当該商品販売業者に賃貸した展示品の前記賃貸借内容に関する情報を賃貸先の前記情報処理端末に送信する賃貸借情報送信手段と、を備え、
前記情報処理端末は、
前記展示品管理用サーバから送信された、前記展示品管理者から賃借した展示品の賃貸借内容に関する情報を受信する賃貸借情報受信手段と、
前記賃貸借情報受信手段によって受信した前記賃貸借内容に関する情報を前記商品販売業者に報知する賃貸借情報報知手段と、を備えることを特徴とする展示品管理支援システム。
【請求項２】
前記賃貸借内容に関する情報は、前記展示品の賃貸期間に関する情報を含むことを特徴とする請求項１記載の展示品管理支援システム。
【請求項３】
前記展示品管理用サーバは、
所定賃貸期間における展示品の賃貸料金を算出する賃貸料金算出手段と、
前記賃貸料金算出手段によって算出した賃貸料金の情報を前記情報処理端末に送信する賃貸料金情報送信手段と、を備え、
前記情報処理端末は、
前記展示品管理用サーバから送信された、前記賃貸料金の情報を受信する賃貸料金情報受信手段と、
前記賃貸料金情報受信手段によって受信した前記賃貸料金の情報を前記商品販売業者に報知する賃貸料金情報報知手段と、を備えることを特徴とする請求項２記載の展示品管理支援システム。
【請求項４】
前記展示品管理用サーバは、
前記展示品の付属品に関する情報を記憶する付属品情報記憶手段と、
前記展示品に対応付けられた固有情報の入力に応じて、前記付属品情報記憶手段から前記入力情報に対応した前記付属品に関する情報を読み出し、当該読み出した情報を表示する付属品情報表示手段と、を備えることを特徴とする請求項１乃至請求項３のいずれか１項に記載の展示品管理支援システム。
【請求項５】
前記展示品管理用サーバは、
前記情報処理端末から送信された、前記展示品に対応付けられた固有情報を含む当該展示品の付属品に関する情報の取得要求情報を受信する取得要求情報受信手段と、
前記取得要求情報受信手段によって受信した前記取得要求情報に基づき、前記付属品情報記憶手段から前記取得要求情報に対応した前記展示品の付属品に関する情報を読み出し、当該読み出した情報を前記取得要求情報の送信元の前記情報処理端末に送信する付属品情報送信手段と、を備え、
前記情報処理端末は、
前記取得要求情報を前記展示品管理用サーバに送信する取得要求情報送信手段と、
前記展示品管理用サーバから送信された、前記付属品に関する情報を受信する付属品情報受信手段と、
前記付属品情報受信手段によって受信した前記付属品に関する情報に基づき、前記展示品の付属品に関する情報を前記商品販売業者に報知する付属品情報報知手段と、を備えることを特徴とする請求項４記載の展示品管理支援システム。
【請求項６】
請求項１記載の展示品管理支援システムにおける前記展示品管理用サーバであって、
前記展示品管理者が前記商品販売業者から買い取った展示品の前記展示品管理者と前記商品販売業者との間の賃貸借に関する情報を取得する賃貸借情報取得手段と、
前記賃貸借情報取得手段の取得内容に基づき、前記商品販売業者から買い取り且つ当該商品販売業者に賃貸した展示品の前記賃貸借内容に関する情報を賃貸先の前記情報処理端末に送信する賃貸借情報送信手段と、を備えることを特徴とする展示品管理用サーバ。
【請求項７】
賃貸期間の終了した展示品の賃貸料金を算出する賃貸料金算出手段と、
前記賃貸料金算出手段によって算出した賃貸料金の情報を前記情報処理端末に送信する賃貸料金情報送信手段と、を備えることを特徴とする請求項６記載の展示品管理用サーバ。
【請求項８】
前記展示品の付属品に関する情報を記憶する付属品情報記憶手段と、
前記展示品に対応付けられた固有情報の入力に応じて、前記付属品情報記憶手段から前記入力情報に対応した前記付属品に関する情報を読み出し、当該読み出した情報を表示する付属品情報表示手段と、を備えることを特徴とする請求項５又は請求項６記載の展示品管理用サーバ。
【請求項９】
前記情報処理端末から送信された、前記展示品に対応付けられた固有情報を含む当該展示品の付属品に関する情報の取得要求情報を受信する取得要求情報受信手段と、
前記取得要求情報受信手段によって受信した前記取得要求情報に基づき、前記付属品情報記憶手段から前記取得要求情報に対応した前記展示品の付属品に関する情報を読み出し、当該読み出した情報を前記取得要求情報の送信元の前記情報処理端末に送信する付属品情報送信手段と、を備えることを特徴とする請求項８記載の展示品管理用サーバ。
【請求項１０】
請求項１記載の展示品管理支援システムにおける前記情報処理端末であって、
前記展示品管理用サーバから送信された、前記展示品管理者から賃借した展示品の賃貸借内容に関する情報を受信する賃貸借情報受信手段と、
前記賃貸借情報受信手段によって受信した前記賃貸借内容に関する情報を前記商品販売業者に報知する賃貸借情報報知手段と、を備えることを特徴とする情報処理端末。
【請求項１１】
前記展示品管理用サーバから送信された、賃貸期間の終了した展示品の前記賃貸料金の情報を受信する賃貸料金情報受信手段と、
前記賃貸料金情報受信手段によって受信した前記賃貸料金の情報を前記商品販売業者に報知する賃貸料金情報報知手段と、を備えることを特徴とする請求項８記載の情報処理端末。
【請求項１２】
前記取得要求情報を前記展示品管理用サーバに送信する取得要求情報送信手段と、
前記展示品管理用サーバから送信された、前記付属品に関する情報を受信する付属品情報受信手段と、
前記付属品情報受信手段によって受信した前記付属品に関する情報に基づき、前記展示品の付属品に関する情報を前記商品販売業者に報知する付属品情報報知手段と、を備えることを特徴とする請求項１０又は請求項１１記載の情報処理端末。
【請求項１３】
商品販売業者が商品納入元業者から店舗に展示するために購入した展示品について、当該展示品の展示品管理者による管理を支援するためのシステムにおいて、前記展示品管理者の管理下にある展示品管理用サーバを制御するためのプログラムであって、
前記展示品管理者が前記商品販売業者から買い取った展示品の前記展示品管理者と前記商品販売業者との間の賃貸借に関する情報を取得する賃貸借情報取得手段及び、
前記賃貸借情報取得手段の取得内容に基づき、前記商品販売業者から買い取り且つ当該商品販売業者に賃貸した展示品の前記賃貸借内容に関する情報を賃貸先の前記情報処理端末に送信する賃貸借情報送信手段として実現される処理をコンピュータに実行させるためのプログラムであることを特徴とする展示品管理用サーバ制御プログラム。
【請求項１４】
商品販売業者が商品納入元業者から店舗に展示するために購入した展示品について、当該展示品の展示品管理者による管理を支援するためのシステムにおいて、前記商品販売業者の管理下にある情報処理端末を制御するためのプログラムであって、
前記展示品管理用サーバから送信された、前記展示品管理者から賃借した展示品の賃貸借内容に関する情報を受信する賃貸借情報受信手段及び、
前記賃貸借情報受信手段によって受信した前記賃貸借内容に関する情報を前記商品販売業者に報知する賃貸借情報報知手段として実現される機能をコンピュータに実行させるためのプログラムであることを特徴とする情報処理端末制御プログラム。
【請求項１５】
商品販売業者が商品納入元業者から店舗に展示するために購入した展示品について、当該展示品の展示品管理者による管理を支援するためのシステムにおいて、前記展示品管理者の管理下にある展示品管理用サーバを制御するための方法であって、
前記商品販売業者の管理下にある情報処理端末と前記展示品管理用サーバとを、通信回線を介して互いに通信可能に接続し、
前記展示品管理者が前記商品販売業者から買い取った展示品の前記展示品管理者と前記商品販売業者との間の賃貸借に関する情報を取得する賃貸借情報取得ステップと、
前記賃貸借情報取得ステップにおける取得内容に基づき、前記商品販売業者から買い取り且つ当該商品販売業者に賃貸した展示品の前記賃貸借内容に関する情報を賃貸先の前記情報処理端末に送信する賃貸借情報送信ステップと、を含むことを特徴とする展示品管理用サーバ制御方法。
【請求項１６】
商品販売業者が商品納入元業者から店舗に展示するために購入した展示品について、当該展示品の展示品管理者による管理を支援するためのシステムにおいて、前記商品販売業者の管理下にある情報処理端末を制御するための方法であって、
前記情報処理端末と前記展示品管理者の管理下にある展示品管理用サーバとを、通信回線を介して互いに通信可能に接続し、
前記展示品管理用サーバから送信された、前記展示品管理者から賃借した展示品の賃貸借内容に関する情報を受信する賃貸借情報受信ステップと、
前記賃貸借情報受信ステップにおいて受信した前記賃貸借内容に関する情報を前記商品販売業者に報知する賃貸借情報報知ステップと、を含むことを特徴とする情報処理端末制御方法。
【発明の詳細な説明】
【技術分野】
【０００１】
本発明は、商品販売業者の店舗に展示する展示品について、当該展示品の展示品管理者による管理を支援するのに好適な展示品管理支援システム、情報処理端末、展示品管理用サーバ、情報処理端末制御プログラム、展示品管理用サーバ制御プログラム、情報処理端末制御方法及び展示品管理用サーバ制御方法に関する。
【背景技術】
【０００２】
従来、商品を販売する小売店等においては、販売促進のために展示品を店舗に展示して当該展示品と同等の商品を消費者に販売する形態が多く採られている。このような販売形態において、店舗の経営者である商品販売業者は、店舗に展示する展示品を商品の納入元の業者から購入している。
【発明の開示】
【発明が解決しようとする課題】
【０００３】
しかしながら、上記従来の販売形態において、展示品は展示期間が終了した後に販売して現金化することになるが、現金化する際の展示品の動作確認、クリーニング、空箱・取扱説明書・保証書等の付属品の管理等を商品販売業者側で行う必要があり、これらの作業負担及び管理負担は大きく、展示品の値付けや取り扱い等が雑になりがちである。
上記のような問題点を鑑みて、本発明者らは、商品販売業者が商品納入元業者から購入した展示品を展示品管理者が買い取り、展示品管理者は、当該買い取った展示品を商品販売業者に賃貸するサービスを考案した。このサービスにおいては、展示品の管理等は展示品管理者が行うため上記した煩わしい作業も無くなる。また、展示品の所有権は展示品管理者のものとなるため、商品販売業者側において、展示品の取扱に緊張感が生じる。つまり、従来の形態に比べて展示品の所有者が明確になると共に、販売業者が展示品を大切に扱うようになることが期待できる。
【０００４】
従って、上記考案したサービスにおいては、商品販売業者が、展示品管理者との間の展示品の賃貸借の情報を容易に認識できるシステムの開発が望まれる。
そこで、本発明は、上記したサービスにおいて、展示品管理者による展示品の管理を支援するのに好適な展示品管理支援システム、情報処理端末、展示品管理用サーバ、情報処理端末制御プログラム、展示品管理用サーバ制御プログラム、情報処理端末制御方法及び展示品管理用サーバ制御方法を提供することを目的としている。
【課題を解決するための手段】
【０００５】
上記目的を達成するために、本発明に係る請求項１記載の展示品管理支援システムは、商品販売業者が商品納入元業者から店舗に展示するために購入した展示品について、当該展示品の展示品管理者による管理を支援するためのシステムであって、
前記展示品管理者の管理下にある展示品管理用サーバと、前記商品販売業者の管理下にある情報処理端末とを備えると共に、前記展示品管理用サーバと前記情報処理端末とを通信回線を介して互いに通信可能に接続し、
前記展示品管理用サーバは、
前記展示品管理者が前記商品販売業者から買い取った展示品の前記展示品管理者と前記商品販売業者との間の賃貸借に関する情報を取得する賃貸借情報取得手段と、
前記賃貸借情報取得手段の取得内容に基づき、前記商品販売業者から買い取り且つ当該商品販売業者に賃貸した展示品の前記賃貸借内容に関する情報を賃貸先の前記情報処理端末に送信する賃貸借情報送信手段と、を備え、
前記情報処理端末は、
前記展示品管理用サーバから送信された、前記展示品管理者から賃借した展示品の賃貸借内容に関する情報を受信する賃貸借情報受信手段と、
前記賃貸借情報受信手段によって受信した前記賃貸借内容に関する情報を前記商品販売業者に報知する賃貸借情報報知手段と、を備えることを特徴としている。
【０００６】
このような構成であれば、展示品管理用サーバは、賃貸借情報取得手段によって、前記展示品管理者が前記商品販売業者から買い取った展示品の前記展示品管理者と前記商品販売業者との間の賃貸借に関する情報を取得することが可能であり、賃貸借情報送信手段によって、前記賃貸借情報取得手段の取得内容に基づき、前記商品販売業者から買い取り且つ当該商品販売業者に賃貸した展示品の前記賃貸借内容に関する情報を賃貸先の前記情報処理端末に送信することが可能である。
【０００７】
また、情報処理端末は、賃貸借情報受信手段によって、前記展示品管理用サーバから送信された、前記展示品管理者から賃借した展示品の賃貸借内容に関する情報を受信することが可能であり、賃貸借情報報知手段によって、前記賃貸借情報受信手段によって受信した前記賃貸借内容に関する情報を前記商品販売業者に報知することが可能である。
従って、情報処理端末において、展示品管理者から賃借した展示品に関する賃貸借内容を含む情報を商品販売業者に報知するようにしたので、商品販売業者が展示品の所有権が展示品管理者にあることを認識し易くなると共に、これにより展示品の取扱に緊張感が生じやすくなることで、商品販売業者に展示品の丁寧な取扱を意識させるのに役立つ。
【０００８】
ここで、商品販売業者は、デパート等の経営者や小売業者などの商品を店舗に陳列して販売する業者を含む。以下、請求項１３記載の展示品管理用サーバ制御プログラム、請求項１４記載の情報処理端末制御プログラム、請求項１５記載の展示品管理用サーバ制御方法及び請求項１６記載の情報処理端末制御方法において同じである。
また、商品納入元業者は、生産者、輸入商、あるいは、生産者や輸入商から商品を仕入れて小売店等に売り渡す卸問屋などを含む。以下、請求項１３記載の展示品管理用サーバ制御プログラム、請求項１４記載の情報処理端末制御プログラム、請求項１５記載の展示品管理用サーバ制御方法及び請求項１６記載の情報処理端末制御方法において同じである。
【０００９】
また、展示品は、商品を販売する店舗において陳列されるもので、客（消費者）は、この展示品を見て購入する商品を選定する。以下、請求項１３記載の展示品管理用サーバ制御プログラム、請求項１４記載の情報処理端末制御プログラム、請求項１５記載の展示品管理用サーバ制御方法及び請求項１６記載の情報処理端末制御方法において同じである。
また、賃貸借内容に関する情報とは、展示品の所有者の情報、展示品の賃貸者の情報、展示品の賃借者の情報等を含むものであり、展示品の所有権や賃貸借の関係を明確にするための情報である。以下、請求項１３記載の展示品管理用サーバ制御プログラム、請求項１４記載の情報処理端末制御プログラム、請求項１５記載の展示品管理用サーバ制御方法及び請求項１６記載の情報処理端末制御方法において同じである。
【００１０】
また、上記報知とは、ディスプレイ装置等の表示装置への情報の表示や、音声メッセージの出力等を含み、展示品に関する賃貸借内容を含む情報を対象者に伝えることである。以下、請求項１３記載の展示品管理用サーバ制御プログラム、請求項１４記載の情報処理端末制御プログラム、請求項１５記載の展示品管理用サーバ制御方法及び請求項１６記載の情報処理端末制御方法において同じである。
【００１１】
また、請求項２に係る発明は、請求項１記載の展示品管理支援システムにおいて、前記賃貸借内容に関する情報は、前記展示品の賃貸期間に関する情報を含むことを特徴としている。
このような構成であれば、商品販売業者は、賃貸期間を容易に把握することができるので、賃貸期間が過ぎるのを防ぐのに役立たせることができると共に、期間の縮減や延長等の管理を容易に行うことができる。
ここで、賃貸期間に関する情報は、商品販売業者と展示品管理者との間の賃貸契約の締結時に定めた賃貸期間、商品販売業者からの賃貸期間の延長又は縮減要請によって賃貸期間が延長又は縮減した場合に変更された賃貸期間等を含むものである。
【００１２】
また、請求項３に係る発明は、請求項２記載の展示品管理支援システムにおいて、前記展示品管理用サーバは、
所定賃貸期間における展示品の賃貸料金を算出する賃貸料金算出手段と、
前記賃貸料金算出手段によって算出した賃貸料金の情報を前記情報処理端末に送信する賃貸料金情報送信手段と、を備え、
前記情報処理端末は、
前記展示品管理用サーバから送信された、前記賃貸料金の情報を受信する賃貸料金情報受信手段と、
前記賃貸料金情報受信手段によって受信した前記賃貸料金の情報を前記商品販売業者に報知する賃貸料金情報報知手段と、を備えることを特徴としている。
【００１３】
このような構成であれば、前記展示品管理用サーバは、賃貸料金算出手段によって、所定賃貸期間における展示品の賃貸料金を算出することが可能であり、賃貸料金情報送信手段によって、前記賃貸料金算出手段によって算出した賃貸料金の情報を前記情報処理端末に送信することが可能である。
また、前記情報処理端末は、賃貸料金情報受信手段によって、前記展示品管理用サーバから送信された、前記賃貸料金の情報を受信することが可能であり、賃貸料金情報報知手段によって、前記賃貸料金情報受信手段によって受信した前記賃貸料金の情報を前記商品販売業者に報知することが可能である。
【００１４】
従って、商品販売業者は、例えば、月毎の賃貸料金や、賃借した日から現在までの賃貸料金、賃貸期間終了時の賃貸料金などを簡易に知ることができると共に、賃貸料金の管理を簡易に行うことができる。
ここで、賃貸期間は、商品販売業者が展示品管理者から展示品を賃借している期間であり、賃貸料金算出手段は、上記したように、月毎や、所定の日数経過時、予め設定された賃貸期間の終了時等において、展示品の賃貸料金を算出する。
【００１５】
また、請求項４に係る発明は、請求項１乃至請求項３のいずれか１項に記載の展示品管理支援システムにおいて、前記展示品管理用サーバは、
前記展示品の付属品に関する情報を記憶する付属品情報記憶手段と、
前記展示品に対応付けられた固有情報の入力に応じて、前記付属品情報記憶手段から前記入力情報に対応した前記付属品に関する情報を読み出し、当該読み出した情報を表示する付属品情報表示手段と、を備えることを特徴としている。
【００１６】
このような構成であれば、展示品管理用サーバは、付属品情報記憶手段によって、前記展示品の付属品に関する情報を記憶することが可能であり、付属品情報表示手段によって、前記展示品に対応付けられた固有情報の入力に応じて、前記付属品情報記憶手段から前記入力情報に対応した前記付属品に関する情報を読み出し、当該読み出した情報を表示することが可能である。
従って、展示品管理者は、賃貸する展示品の付属品の管理を容易に行うことが可能となる。
ここで、付属品に関する情報は、展示品を納める箱、取扱説明書、保証書、その他付属している部品等の他、商品販売業者に賃借している付属品の情報等も含む。
【００１７】
また、請求項５に係る発明は、請求項４記載の展示品管理支援システムにおいて、前記展示品管理用サーバは、
前記情報処理端末から送信された、前記展示品に対応付けられた固有情報を含む当該展示品の付属品に関する情報の取得要求情報を受信する取得要求情報受信手段と、
前記取得要求情報受信手段によって受信した前記取得要求情報に基づき、前記付属品情報記憶手段から前記取得要求情報に対応した前記展示品の付属品に関する情報を読み出し、当該読み出した情報を前記取得要求情報の送信元の前記情報処理端末に送信する付属品情報送信手段と、を備え、
前記情報処理端末は、
前記取得要求情報を前記展示品管理用サーバに送信する取得要求情報送信手段と、
前記展示品管理用サーバから送信された、前記付属品に関する情報を受信する付属品情報受信手段と、
前記付属品情報受信手段によって受信した前記付属品に関する情報に基づき、前記展示品の付属品に関する情報を前記商品販売業者に報知する付属品情報報知手段と、を備えることを特徴としている。
【００１８】
このような構成であれば、展示品管理用サーバは、取得要求情報受信手段によって、前記情報処理端末から送信された、前記展示品に対応付けられた固有情報を含む当該展示品の付属品に関する情報の取得要求情報を受信することが可能であり、付属品情報送信手段によって、前記取得要求情報受信手段によって受信した前記取得要求情報に基づき、前記付属品情報記憶手段から前記取得要求情報に対応した前記展示品の付属品に関する情報を読み出し、当該読み出した情報を前記取得要求情報の送信元の前記情報処理端末に送信することが可能である。
【００１９】
また、情報処理端末は、取得要求情報送信手段によって、前記取得要求情報を前記展示品管理用サーバに送信することが可能であり、付属品情報受信手段によって、前記展示品管理用サーバから送信された、前記付属品に関する情報を受信することが可能であり、付属品情報報知手段によって、前記付属品情報受信手段によって受信した前記付属品に関する情報に基づき、前記展示品の付属品に関する情報を前記商品販売業者に報知することが可能である。
従って、商品販売業者は、賃借している展示品の付属品に関する情報を容易に確認することが可能となり、付属品について客（消費者）に説明する際等に役立つ他、賃借している付属品の確認等を容易に行うことが可能となる。
【００２０】
また、本発明に係る請求項６記載の展示品管理用サーバは、請求項１記載の展示品管理支援システムにおける前記展示品管理用サーバであって、
前記展示品管理者が前記商品販売業者から買い取った展示品の前記展示品管理者と前記商品販売業者との間の賃貸借に関する情報を取得する賃貸借情報取得手段と、
前記賃貸借情報取得手段の取得内容に基づき、前記商品販売業者から買い取り且つ当該商品販売業者に賃貸した展示品の前記賃貸借内容に関する情報を賃貸先の前記情報処理端末に送信する賃貸借情報送信手段と、を備えることを特徴としている。
ここで、本発明は、請求項１記載の展示品管理支援システムにおける前記展示品管理用サーバであって、当該展示品管理用サーバと同等の作用効果が得られる。
【００２１】
また、請求項７に係る発明は、請求項６記載の展示品管理用サーバにおいて、賃貸期間の終了した展示品の賃貸料金を算出する賃貸料金算出手段と、
前記賃貸料金算出手段によって算出した賃貸料金の情報を前記情報処理端末に送信する賃貸料金情報送信手段と、を備えることを特徴としている。
ここで、本発明は、請求項３記載の展示品管理支援システムにおける前記展示品管理用サーバであって、当該展示品管理用サーバと同等の作用効果が得られる。
【００２２】
また、請求項８に係る発明は、請求項６又は請求項７記載の展示品管理用サーバにおいて、前記展示品の付属品に関する情報を記憶する付属品情報記憶手段と、
前記展示品に対応付けられた固有情報の入力に応じて、前記付属品情報記憶手段から前記入力情報に対応した前記付属品に関する情報を読み出し、当該読み出した情報を表示する付属品情報表示手段と、を備えることを特徴としている。
ここで、本発明は、請求項４記載の展示品管理支援システムにおける前記展示品管理用サーバであって、当該展示品管理用サーバと同等の作用効果が得られる。
【００２３】
また、請求項９に係る発明は、請求項８記載の展示品管理用サーバにおいて、前記情報処理端末から送信された、前記展示品に対応付けられた固有情報を含む当該展示品の付属品に関する情報の取得要求情報を受信する取得要求情報受信手段と、
前記取得要求情報受信手段によって受信した前記取得要求情報に基づき、前記付属品情報記憶手段から前記取得要求情報に対応した前記展示品の付属品に関する情報を読み出し、当該読み出した情報を前記取得要求情報の送信元の前記情報処理端末に送信する付属品情報送信手段と、を備えることを特徴としている。
ここで、本発明は、請求項５記載の展示品管理支援システムにおける前記展示品管理用サーバであって、当該展示品管理用サーバと同等の作用効果が得られる。
【００２４】
また、本発明に係る請求項１０記載の情報処理端末は、請求項１記載の展示品管理支援システムにおける前記情報処理端末であって、
前記展示品管理用サーバから送信された、前記展示品管理者から賃借した展示品の賃貸借内容に関する情報を受信する賃貸借情報受信手段と、
前記賃貸借情報受信手段によって受信した前記賃貸借内容に関する情報を前記商品販売業者に報知する賃貸借情報報知手段と、を備えることを特徴としている。
ここで、本発明は、請求項１記載の展示品管理支援システムにおける情報処理端末であって、当該情報処理端末と同等の作用効果が得られる。
【００２５】
また、請求項１１に係る発明は、請求項１０記載の情報処理端末において、前記展示品管理用サーバから送信された、賃貸期間の終了した展示品の前記賃貸料金の情報を受信する賃貸料金情報受信手段と、
前記賃貸料金情報受信手段によって受信した前記賃貸料金の情報を前記商品販売業者に報知する賃貸料金情報報知手段と、を備えることを特徴としている。
ここで、本発明は、請求項３記載の展示品管理支援システムにおける情報処理端末であって、当該情報処理端末と同等の作用効果が得られる。
【００２６】
また、請求項１２に係る発明は、請求項１０又は請求項１１記載の情報処理端末において、前記取得要求情報を前記展示品管理用サーバに送信する取得要求情報送信手段と、
前記展示品管理用サーバから送信された、前記付属品に関する情報を受信する付属品情報受信手段と、
前記付属品情報受信手段によって受信した前記付属品に関する情報に基づき、前記展示品の付属品に関する情報を前記商品販売業者に報知する付属品情報報知手段と、を備えることを特徴としている。
ここで、本発明は、請求項５記載の展示品管理支援システムにおける情報処理端末であって、当該情報処理端末と同等の作用効果が得られる。
【００２７】
また、本発明に係る請求項１３記載の展示品管理用サーバ制御プログラムは、商品販売業者が商品納入元業者から店舗に展示するために購入した展示品について、当該展示品の展示品管理者による管理を支援するためのシステムにおいて、前記展示品管理者の管理下にある展示品管理用サーバを制御するためのプログラムであって、
前記展示品管理者が前記商品販売業者から買い取った展示品の前記展示品管理者と前記商品販売業者との間の賃貸借に関する情報を取得する賃貸借情報取得手段及び、
前記賃貸借情報取得手段の取得内容に基づき、前記商品販売業者から買い取り且つ当該商品販売業者に賃貸した展示品の前記賃貸借内容に関する情報を賃貸先の前記情報処理端末に送信する賃貸借情報送信手段として実現される処理をコンピュータに実行させるためのプログラムであることを特徴としている。
ここで、本発明は、請求項１記載の展示品管理用サーバに適用可能なプログラムであって、これにより請求項１記載の展示品管理用サーバと同等の効果が得られる。
【００２８】
また、本発明に係る請求項１４記載の情報処理端末制御プログラムは、商品販売業者が商品納入元業者から店舗に展示するために購入した展示品について、当該展示品の展示品管理者による管理を支援するためのシステムにおいて、前記商品販売業者の管理下にある情報処理端末を制御するためのプログラムであって、
前記展示品管理用サーバから送信された、前記展示品管理者から賃借した展示品の賃貸借内容に関する情報を受信する賃貸借情報受信手段及び、
前記賃貸借情報受信手段によって受信した前記賃貸借内容に関する情報を前記商品販売業者に報知する賃貸借情報報知手段として実現される機能をコンピュータに実行させるためのプログラムであることを特徴としている。
ここで、本発明は、請求項１記載の情報処理端末に適用可能なプログラムであって、これにより請求項１記載の情報処理端末と同等の効果が得られる。
【００２９】
また、本発明に係る請求項１５記載の展示品管理用サーバ制御方法は、商品販売業者が商品納入元業者から店舗に展示するために購入した展示品について、当該展示品の展示品管理者による管理を支援するためのシステムにおいて、前記展示品管理者の管理下にある展示品管理用サーバを制御するための方法であって、
前記商品販売業者の管理下にある情報処理端末と前記展示品管理用サーバとを、通信回線を介して互いに通信可能に接続し、
前記展示品管理者が前記商品販売業者から買い取った展示品の前記展示品管理者と前記商品販売業者との間の賃貸借に関する情報を取得する賃貸借情報取得ステップと、
前記賃貸借情報取得ステップにおける取得内容に基づき、前記商品販売業者から買い取り且つ当該商品販売業者に賃貸した展示品の前記賃貸借内容に関する情報を賃貸先の前記情報処理端末に送信する賃貸借情報送信ステップと、を含むことを特徴としている。
これにより、請求項１記載の展示品管理用サーバと同等の効果が得られる。
【００３０】
また、本発明に係る請求項１６記載の情報処理端末制御方法は、商品販売業者が商品納入元業者から店舗に展示するために購入した展示品について、当該展示品の展示品管理者による管理を支援するためのシステムにおいて、前記商品販売業者の管理下にある情報処理端末を制御するための方法であって、
前記情報処理端末と前記展示品管理者の管理下にある展示品管理用サーバとを、通信回線を介して互いに通信可能に接続し、
前記展示品管理用サーバから送信された、前記展示品管理者から賃借した展示品の賃貸借内容に関する情報を受信する賃貸借情報受信ステップと、
前記賃貸借情報受信ステップにおいて受信した前記賃貸借内容に関する情報を前記商品販売業者に報知する賃貸借情報報知ステップと、を含むことを特徴としている。
これにより、請求項１記載の情報処理端末と同等の効果が得られる。
【発明の効果】
【００３１】
以上説明したように、本発明に係る請求項１記載の展示品管理支援システムによれば、情報処理端末において、展示品管理者から賃借した展示品に関する賃貸借内容を含む情報を商品販売業者に報知するようにしたので、商品販売業者は、展示品の所有権が展示品管理者にあることを認識し易くなると共に、展示品の取扱に緊張感が生じやすくなることで、商品販売業者に展示品の丁寧な取扱を意識させることができるという効果が得られる。
【００３２】
また、請求項２記載の展示品管理支援システムによれば、請求項１の前記効果に加え、商品販売業者は、賃貸期間を容易に把握することができるので、賃貸期間が過ぎるのを防ぐのに役立たせることができるという効果が得られると共に、期間の縮減や延長等の管理を容易に行うことができるという効果が得られる。
また、請求項３記載の展示品管理支援システムによれば、請求項２の前記効果に加え、商品販売業者は、賃借した展示品の賃貸料金を簡易に知ることができると共に、賃貸料金の管理を簡易に行うことができるという効果が得られる。
【００３３】
また、請求項４記載の展示品管理支援システムによれば、請求項１乃至請求項３のいずれかの前記効果に加え、展示品管理者は、賃貸する展示品の付属品の管理を容易に行うことができるという効果が得られる。
また、請求項５記載の展示品管理支援システムによれば、請求項４の前記効果に加え、商品販売業者は、賃借している展示品の付属品に関する情報を容易に確認することが可能となり、付属品について客（消費者）に説明する際等に迅速に対応できるようになる他、賃借している付属品の確認等を容易に行うことができるという効果が得られる。
ここで、請求項６記載の展示品管理用サーバによれば、請求項１記載の展示品管理用サーバと同等の効果が得られる。
【００３４】
また、請求項７記載の展示品管理用サーバによれば、請求項３記載の展示品管理用サーバと同等の効果が得られる。
また、請求項８記載の展示品管理用サーバによれば、請求項４記載の展示品管理用サーバと同等の効果が得られる。
また、請求項９記載の展示品管理用サーバによれば、請求項５記載の展示品管理用サーバと同等の効果が得られる。
また、請求項１０記載の情報処理端末によれば、請求項１記載の情報処理端末と同等の効果が得られる。
【００３５】
また、請求項１１記載の情報処理端末によれば、請求項３記載の情報処理端末と同等の効果が得られる。
また、請求項１２記載の情報処理端末によれば、請求項５記載の情報処理端末と同等の効果が得られる。
また、請求項１３記載の展示品管理用サーバ制御プログラムによれば、請求項１記載の展示品管理用サーバと同等の効果が得られる。
【００３６】
また、請求項１４記載の情報処理端末制御プログラムによれば、請求項１記載の情報処理端末と同等の効果が得られる。
また、請求項１５記載の展示品管理用サーバ制御方法によれば、請求項１記載の展示品管理用サーバと同等の効果が得られる。
また、請求項１６記載の情報処理端末制御方法によれば、請求項１記載の情報処理端末と同等の効果が得られる。
【発明を実施するための最良の形態】
【００３７】
以下、本発明の実施の形態を図面に基づき説明する。図１〜図１２は、本発明に係る展示品管理支援システムの実施の形態を示す図である。
まず、本発明に係る展示品管理支援システム１の構成を図１に基づき説明する。図１は、本発明に係る展示品管理支援システム１の構成を示すブロック図である。
ここで、本実施の形態において、展示品管理支援システム１は、図４に示すように、商品を販売する商品販売業者が、商品の卸売りをする商品納入元業者から販売商品の展示品を購入し、その後、展示品の賃貸業務をする展示品管理者が、商品販売業者が購入した展示品を買い取り、この買い取った展示品を買取元の商品販売業者に賃貸するサービスに適用されることを前提としている。
【００３８】
図１に示すように、展示品管理支援システム１は、展示品管理者の管理下にある展示品管理用サーバ２と、商品販売業者の管理下にある第１〜第４の情報処理端末３Ａ〜３Ｄと、インターネット４とを含んだ構成となっている。ここで、図１中において情報処理端末は、４台となっているが、この台数に限らず、４台より少なくても良いし多くても良い。実際は、取引を行う商品販売業者の数に応じた台数の情報処理端末が用意されることになる。
【００３９】
展示品管理用サーバ２は、商品販売業者から買い取った展示品についての賃貸借内容に関する情報を取得し、当該賃貸借内容に関する情報を展示品の賃貸先の情報処理端末に送信したり、所定の賃貸期間の経過に応じて当該期間における展示品の賃貸料金を算出し、その情報を該当する情報処理端末に送信したり、展示品に対応付けられた固有情報の入力に応じて対応する付属品の情報を表示部に表示したりなどする。なお、詳細な構成は後述する。
【００４０】
第１〜第４の情報処理端末３Ａ〜３Ｄは、それぞれ商品販売業者Ａ〜Ｄの管理下にあり、展示品管理用サーバ２からの、展示品管理者から賃貸した展示品に対する賃貸借内容に関する情報を受信してその情報を表示部に表示したり、展示品管理用サーバ２からの、賃貸料金情報を受信してその情報を表示部に表示したりなどする。なお、詳細な構成は後述する。
【００４１】
インターネット４は、世界中の様々なネットワークが相互接続された大規模なネットワークであり、ＰＣ等の端末機器によって電話回線や専用回線等を介して接続することが可能である。更に、ネットワークに接続されたＷＷＷ（World Wide Web）サーバ等の公開しているＷｅｂサイトの情報を専用のブラウザソフトによって閲覧することが可能であり、また、ネットビジネス等の様々な用途にも用いられるものである。
【００４２】
更に、図２に基づき、展示品管理用サーバ２の詳細な構成を説明する。図２は、展示品管理用サーバ２の詳細構成を示すブロック図である。
図２に示すように、展示品管理用サーバ２は、賃貸借情報取得部２ａと、展示品情報記憶部２ｂと、賃貸借情報送信処理部２ｃと、賃貸料金算出部２ｄと、データ通信部２ｅと、付属品情報処理部２ｆと、表示部２ｇとを含んだ構成となっている。
【００４３】
賃貸借情報取得部２ａは、図示しない入力デバイス等によって入力されるか、あるいは、情報処理端末に接続された記憶媒体に記憶された、商品販売業者から買い取った展示品の賃貸借内容に関する情報を取得する。ここで、賃貸借内容に関する情報は、展示品の賃貸者（所有者）の情報、展示品の賃借者の情報、賃貸期間の情報等を含むものであり、展示品の所有権や賃貸借の関係を明確にするための情報である。
【００４４】
展示品情報記憶部２ｂは、賃貸借情報取得部２ａによって取得した賃貸借内容に関する情報や、商品販売業者から買い取った展示品の付属品の情報、賃貸している展示品の賃貸期間の情報などの展示品に関する情報の他、展示品賃貸先の情報処理端末の情報等を記憶する。
賃貸借情報送信処理部２ｃは、展示品情報記憶部２ｂに記憶された展示品の賃貸借に関する情報に基づき、展示品の賃貸借内容を含む情報をデータ通信部２ｅを介して商品販売業者の情報処理端末に送信する。
【００４５】
賃貸料金算出部２ｄは、展示品の賃貸期間を管理し、商品販売業者に賃貸している各展示品毎に、予め設定された所定の賃貸期間が経過したときに、該当する展示品の賃貸料金を算出して、当該算出した賃貸料金の情報をデータ通信部２ｅを介して、賃貸先の情報処理端末に送信する。
データ通信部２ｅは、インターネット４を介して、商品販売業者の管理下にある情報処理端末との間でデータの送受信を行うための機能を有したものである。
【００４６】
付属品情報処理部２ｆは、商品販売業者から買い取った展示品に対応付けられた固有情報の図示しない展示品管理者側のオペレータによる入力デバイス等による入力や、情報処理端末３から受信した付属品情報の取得要求情報に含まれる固有情報の入力に応じて、当該入力情報に対応した付属品の情報を展示品情報記憶部２ｂから読み出す。そして、オペレータによって固有情報が入力された場合は、前記読み出した付属品の情報を表示部２ｇに表示する処理を行い、一方、取得要求情報の受信による入力の場合は、前記読み出した付属品の情報を要求元の情報処理端末３に送信する処理を行う。
【００４７】
表示部２ｇは、付属品情報処理部２ｆからの表示情報を表示するもので、液晶ディスプレイ等の表示装置である。
ここで、本実施の形態において、展示品管理用サーバ２は、図示しないが、上記各構成要素を制御するプログラムが記憶された記憶媒体と、これらのプログラムを実行するためのプロセッサと、プログラムの実行に必要なデータを記憶するＲＡＭと、を備えている。そして、プロセッサにより記憶媒体に記憶されたプログラムを読み出して実行することによって上記各構成要素の処理を実現する。
【００４８】
また、記憶媒体は、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【００４９】
更に、図３に基づき、第１〜第４の情報処理端末３Ａ〜３Ｄの詳細な構成を説明する。図３は、情報処理端末３の詳細構成を示すブロック図である。ここで、第１〜第４の情報処理端末３Ａ〜３Ｄは、いずれも同様の構成となっているので、図３においては、これらを代表して情報処理端末３として扱う。また、以降の説明においても第１〜第４の情報処理端末３Ａ〜３Ｄに共通する内容については情報処理端末３を用いて説明する。
【００５０】
図３に示すように、情報処理端末３は、データ通信部３ａと、賃貸借情報受信処理部３ｂと、賃貸借情報表示処理部３ｃと、賃貸料金受信処理部３ｄと、賃貸料金情報表示処理部３ｅと、付属品情報処理部３ｆと、付属品情報標示処理部３ｇと、表示部３ｈとを含んだ構成となっている。
データ通信部３ａは、インターネット４を介して、展示品管理者の管理下にある展示品管理用サーバ２との間でデータの送受信を行うための機能を有したものである。
【００５１】
賃貸借情報受信処理部３ｂは、展示品管理用サーバ２から送信され、データ通信部３ａにおいて受信された情報を解析し、受信情報の中から賃借している展示品の賃貸借内容に関する情報を取得し、この情報を賃貸借情報表示処理部３ｃに伝送する。
賃貸借情報表示処理部３ｃは、賃貸借情報受信処理部３ｂから取得した情報から、必要な情報の抽出及び加工を行い、賃貸借内容を明示する情報を含む表示用の情報を生成してこの情報を表示部３ｈに伝送する。ここで、表示用の情報は、例えば、新たに取得した賃貸借内容に関する情報と、過去に取得した賃貸借内容に関する情報とを同じ表内に表示した情報や、賃貸借内容に関する情報の一部をグラフ化した情報などといったように、展示品管理用サーバ２から取得した情報に何らかの加工を施したものや、あるいは、展示品管理用サーバ２から取得した情報そのものなどを含む。
【００５２】
賃貸料金情報受信処理部３ｄは、展示品管理用サーバ２から送信され、データ通信部３ａにおいて受信された情報を解析し、受信情報の中から賃借している展示品の賃貸料金の情報を取得し、この情報を賃貸料金情報表示処理部３ｅに伝送する。
賃貸料金情報表示処理部３ｅは、賃貸料金情報受信処理部３ｄから取得した情報から、当該賃貸料金の表示用の情報を生成してこの情報を表示部３ｈに伝送する。
【００５３】
付属品情報処理部３ｆは、展示品に対応付けられた固有情報の図示しない入力デバイス等による入力に応じて、当該固有情報を含む展示品に関する情報（以下、展示品情報と称す）の取得要求情報を生成して、データ通信部３ａを介して展示品管理用サーバ２に送信する処理を行ったり、展示品管理用サーバ２から送信され、データ通信部３ａにおいて受信された情報を解析し、受信情報の中から付属品情報を取得し、この情報を付属品情報表示処理部３ｇに伝送したりする。
【００５４】
付属品情報表示処理部３ｇは、付属品情報受信処理部３ｆから取得した情報から、当該付属品情報の表示用の情報を生成してこの情報を表示部３ｈに伝送する。
表示部３ｈは、賃貸借情報表示処理部３ｃからの表示用情報、賃貸料金情報表示処理部３ｅ又は付属品情報標示処理部３ｇからの表示用情報を表示するもので、液晶ディスプレイ等の表示装置である。
【００５５】
ここで、本実施の形態において、情報処理端末３は、図示しないが、上記各構成要素を制御するプログラムが記憶された記憶媒体と、これらのプログラムを実行するためのプロセッサと、プログラムの実行に必要なデータを記憶するＲＡＭと、を備えている。そして、プロセッサにより記憶媒体に記憶されたプログラムを読み出して実行することによって上記各構成要素の処理を実現する。
【００５６】
また、記憶媒体は、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【００５７】
更に、図５及び図６に基づき、展示品管理支援システム１の具体的な動作を説明する。ここで、図５（ａ）は、情報処理端末３において表示される賃貸内容に関する情報の一例を示す図であり、（ｂ）は、情報処理端末３において表示される賃貸料金の情報の一例を示す図である。また、図６は、展示品管理用サーバ２において表示部に表示される付属品情報の一例を示す図である。
【００５８】
まず、展示品管理者は、商品販売業者が商品納入元業者から購入した展示品を買い取る。買い取った展示品は、展示品管理者の元に届けられる。その後、展示品管理者は、展示品の買取元の商品販売業者との間で、上記買い取った展示品を所定の賃貸期間及び所定の賃貸料金において該商品販売業者に賃貸する契約を結ぶ。契約成立後、商品販売業者との間の展示品の賃貸内容に関する情報を展示品管理用サーバ２に入力する。該入力された情報は、賃貸借情報取得部２ａを介して展示品情報記憶部２ｂに記憶される。賃貸内容に関する情報の入力の際には、賃貸先の商品販売業者の管理下にある情報処理端末３の情報（ＩＰアドレス、ＭＡＣアドレス、ユーザＩＤやパスワード等のアクセス用情報等）も入力する。これらの情報処理端末３の情報は、例えば、契約時に商品販売業者から直接入手する。一方、契約成立後に、賃貸契約を結んだ展示品を商品販売業者の元に配送するが、配送の際には、展示品の外箱・内箱、取扱説明書、保証書、オプション等の情報は、展示品の製品番号等の固有情報と対応付けて展示品管理用サーバ２に入力する。該入力された情報は、賃貸借情報取得部２ａを介して展示品情報記憶部２ｂに記憶される。
【００５９】
展示品管理用サーバ２において、賃貸借内容に関する情報が展示品情報記憶部２ｂに記憶されると、賃貸借情報送信処理部２ｃは、展示品情報記憶部２ｂから賃貸借内容に関する情報及び賃貸先の情報処理端末３の情報を読み出し、該読み出した賃貸借内容に関する情報から必要な情報を抽出して、これと情報処理端末３の情報とから送信用の賃貸借内容を含む情報（以下、賃貸借情報と称す）を生成し、当該生成した情報を、データ通信部２ｅを介して対応する商品販売業者の情報処理端末３に送信する。
【００６０】
商品販売業者の管理下にある情報処理端末３は、展示品管理用サーバ２からの賃貸借情報をデータ通信部３ａを介して受信すると、該受信した情報を、賃貸借情報受信処理部３ｂによって取得し、該取得した情報を賃貸借情報表示処理部３ｃに伝送する。賃貸借情報表示処理部３ｃは、賃貸借情報受信処理部３ｂから賃貸借情報を取得すると、該取得した賃貸借情報を表示用の情報に変換して表示部３ｈに表示する。ここで、本実施の形態において、表示部３ｈに表示される賃貸借情報の内容としては、図５（ａ）に示すように、賃貸している各展示品毎に、展示品の製品番号等の展示品Ｎｏ、展示品の種別（カメラ、ノートＰＣ、携帯電話など）、展示品の所有者であり且つ展示品を賃貸している展示品管理者の所属する会社名（賃貸者名）、展示品を賃借している商品販売業者名（賃借者名（図の例ではＡ））及び賃貸期間、賃貸日／返却予定日となる。つまり、賃貸者と賃借者との関係が明示されている。また、表示部３ｈに賃貸借情報を表示するタイミングは、商品販売業者が情報処理端末の操作をして任意のタイミングで表示したり、賃貸借情報を受信する毎に強制的に表示したりするなどが考えられる。本実施の形態においては、展示品管理用サーバ２から受信した賃貸借内容に関する情報を情報処理端末３の有する図示しない記憶部に記憶しておき、商品販売業者側のオペレータの表示指示に応じて、記憶部に記憶された賃貸借内容に関する情報を用いて賃貸借内容の表示処理を行うこととする。
【００６１】
更に、展示品管理用サーバ２は、賃貸料金算出部２ｄにおいて賃貸期間を管理しており、展示品情報記憶部２ｂに記憶された、賃貸している各展示品の賃貸期間、賃貸日／返却予定日及び現在の年月日の情報に基づき、賃貸日からの経過期間を算出すると共に、所定のタイミングで経過期間に応じた現在の賃貸料金を算出する。そして、算出した賃貸料金の情報（以下、賃貸料金情報と称す）をデータ通信部２ｅを介して、該当する情報処理端末３に送信する。ここで、賃貸料金算出のタイミングとしては、賃貸期間の終了日、賃貸期間の過ぎた日から返却されるまで毎日などが考えられる。また、表示部３ｈに賃貸料金情報を表示するタイミングは、商品販売業者が情報処理端末の操作をして任意のタイミングで表示したり、賃貸料金情報を受信する毎に強制的に表示したりするなどが考えられる。本実施の形態においては、展示品管理用サーバ２から受信した賃貸料金情報を情報処理端末３の有する図示しない記憶部に記憶しておき、商品販売業者側のオペレータの表示指示に応じて、記憶部に記憶された賃貸料金情報を用いて賃貸料金情報の表示処理を行うこととする。
【００６２】
情報処理端末３は、展示品管理用サーバ２からの賃貸料金情報をデータ通信部３ａを介して受信すると、該受信した賃貸料金情報を、賃貸料金情報受信処理部３ｄによって取得し、該取得した情報を賃貸料金情報表示処理部３ｅに伝送する。賃貸料金情報表示処理部３ｅは、賃貸料金情報受信処理部３ｄから賃貸料金情報を取得すると、該取得した賃貸料金情報を表示用の情報に変換して表示部３ｈに表示する。ここで、本実施の形態において、表示部３ｈに表示される内容としては、図５（ｂ）に示すように、賃貸している展示品毎に、展示品の製品番号等の展示品Ｎｏ、展示品の種別、基本賃貸料金、現賃貸料金及び経過期間となる。ここでは、契約時の返却予定日を過ぎた展示品については、基本賃貸料金を日割りにして過ぎた日数分加算することで現賃貸料金を算出している。
【００６３】
更に、展示品管理用サーバ２は、展示品管理者側のオペレータ等による図示しない入力デバイスによる展示品Ｎｏの入力に応じて、付属品情報処理部２ｆによって、展示品情報記憶部２ｂに記憶された付属品情報の中から、入力された展示品Ｎｏに対応した付属品情報を検出し、当該検出した付属品情報を表示用の情報に変換して表示部２ｇに表示する。ここで、本実施の形態において、表示部２ｇに表示される付属品情報の内容としては、図６に示すように、展示品Ｎｏ、展示品種別、外箱や内箱等の箱の数、取扱説明書の冊数、保証書の有無、展示品本体とは別体となって付属している各オプションの情報及び付属品の管理場所等の情報と対応付けられた管理Ｎｏとなる。
【００６４】
また、展示品管理用サーバ２は、付属品情報処理部２ｆにおいて、情報処理端末３からの付属品情報の取得要求情報をデータ通信部２ｅを介して取得すると、当該取得要求情報を解析し、この情報に含まれる展示品Ｎｏを抽出して該展示品Ｎｏに対応した付属品情報を展示品情報記憶部２ｂに記憶された付属品情報の中から検出し、当該検出した付属品情報をデータ通信部２ｅを介して、要求元の情報処理端末３に送信する。
【００６５】
情報処理端末３は、展示品管理用サーバ２から付属品情報をデータ通信部３ａを介して受信すると、該受信した付属品情報を、付属品情報受信処理部３ｆによって取得し、該取得した情報を付属品情報表示処理部３ｇに伝送する。付属品情報表示処理部３ｇは、付属品情報受信処理部３ｆから付属品情報を取得すると、該取得した付属品情報を表示用の情報に変換して表示部３ｈに表示する。ここで、表示部３ｈに付属品情報を表示するタイミングは、商品販売業者が情報処理端末の操作をして任意のタイミングで表示したり、付属品情報を受信する毎に強制的に表示したりするなどが考えられる。本実施の形態においては、展示品管理用サーバ２から受信した付属品情報を情報処理端末３の有する図示しない記憶部に記憶しておき、商品販売業者側のオペレータの表示指示に応じて、記憶部に記憶された付属品情報を用いて付属品に関する情報の表示処理を行うこととする。また、表示部３ｈに表示される付属品に関する情報は、展示品Ｎｏ、展示品種別、外箱や内箱等の箱の数、取扱説明書の冊数、保証書の有無、展示品本体とは別体となって付属している各オプションの情報等となる。
【００６６】
更に、図７に基づき、展示品管理用サーバ２における展示品情報の記憶処理の流れを説明する。図７は、展示品管理用サーバ２における展示品情報の記憶処理を示すフローチャートである。
図７に示すように、まずステップＳ１００に移行し、賃貸借情報取得部２ａにおいて、賃貸借内容に関する情報を取得したか否かを判定し、取得したと判定された場合(Yes)はステップＳ１０２に移行し、そうでない場合(No)は取得するまで待機する。
【００６７】
ステップＳ１０２に移行した場合は、賃貸借情報取得部２ａにおいて取得した賃貸借内容に関する情報を展示品情報記憶部２ｂに記憶してステップＳ１０４に移行する。
ステップＳ１０４では、賃貸借情報取得部２ａにおいて、ステップＳ１００において取得した賃貸借内容に関する情報に対応した展示品の付属品情報を取得したか否かを判定し、取得したと判定された場合(Yes)はステップＳ１０６に移行し、そうでない場合(No)は取得するまで待機する。
ステップＳ１０６に移行した場合は、賃貸借情報取得部２ａにおいて、取得した付属品情報を展示品情報記憶部２ｂに記憶してステップＳ１００に移行する。
【００６８】
更に、図８に基づき、展示品管理用サーバ２における賃貸借情報の送信処理の流れを説明する。図８は、展示品管理用サーバ２における賃貸借情報の送信処理を示すフローチャートである。
図８に示すように、まずステップＳ２００に移行し、賃貸借情報送信処理部２ｃにおいて、上記した賃貸借情報及び付属品情報を含む展示品情報が記憶されたか否かを判定し、記憶されたと判定された場合（Yes)はステップＳ２０２に移行し、そうでない場合(No)は記憶されるまで待機する。
ステップＳ２０２に移行した場合は、賃貸借情報送信処理部２ｃにおいて、展示品情報記憶部２ｂから賃貸借内容に関する情報を読み出してステップＳ２０４に移行する。
【００６９】
ステップＳ２０４では、賃貸借情報送信処理部２ｃにおいて、上記読み出した賃貸借内容に関する情報に基づき送信用の賃貸借情報を生成してステップＳ２０６に移行する。
ステップＳ２０６では、賃貸借情報送信処理部２ｃにおいて、上記生成された送信用の賃貸借情報をデータ通信部２ｅを介して該当する情報処理端末に送信してステップＳ２０８に移行する。
ステップＳ２０８では、賃貸借情報送信処理部２ｃにおいて、展示品情報の記憶された展示品の賃貸借情報を全て送信したか否かを判定し、全て送信したと判定された場合は処理を終了し、そうでない場合(No)はステップＳ２０２に移行する。
【００７０】
更に、図９に基づき、展示品管理用サーバ２における賃貸料金の算出処理の流れを説明する。図９は、展示品管理用サーバ２における賃貸料金の算出処理を示すフローチャートである。
図９に示すように、まずステップＳ３００に移行し、賃貸料金算出部２ｄにおいて、賃貸している各展示品毎に賃貸日からの経過期間を算出すると共に、当該経過期間が設定期間になったか否かを判定し、設定期間になったと判定された場合(Yes)はステップＳ３０２に移行し、そうでない場合(No)は設定期間になるまで待機する。
ステップＳ３０２に移行した場合は、賃貸料金算出部２ｄにおいて、設定期間になったと判定された展示品の賃貸期間及び賃貸日／返却予定日の情報を展示品情報記憶部２ｂから読み出してステップＳ３０４に移行する。
【００７１】
ステップＳ３０４では、賃貸料金算出部２ｄにおいて、上記読み出した賃貸期間及び賃貸日／返却予定日の情報と、現在の年月日情報とに基づき、該当する展示品の現在の賃貸料金を算出してステップＳ３０６に移行する。
ステップＳ３０６では、賃貸料金算出部２ｄにおいて、上記算出した現在の賃貸料金の情報をデータ通信部２ｅを介して、対応する情報処理端末３に送信する。
【００７２】
更に、図１０に基づき、展示品管理用サーバ２における付属品情報の表示処理の流れを説明する。図１０は、展示品管理用サーバ２における付属品情報の表示処理を示すフローチャートである。
図１０に示すように、まずステップＳ４００に移行し、付属品情報処理部２ｆにおいて、展示品Ｎｏが入力されたか否かを判定し、入力されたと判定された場合(Yes)はステップＳ４０２に移行し、そうでない場合(No)は入力されるまで待機する。
【００７３】
ステップＳ４０２に移行した場合は、付属品情報処理部２ｆにおいて、展示品Ｎｏに対応する付属品情報を展示品情報記憶部２ｂから検索してステップＳ４０４に移行する。
ステップＳ４０４に移行した場合は、付属品情報処理部２ｆにおいて、上記検索により入力された展示品Ｎｏに対応した付属品情報が索出されたか否かを判定し、索出されたと判定された場合(Yes)はステップＳ４０６に移行し、そうでない場合(No)はステップＳ４０８に移行する。
【００７４】
ステップＳ４０６では、付属品情報処理部２ｆにおいて、入力された展示品Ｎｏが情報処理端末３からの取得要求情報に含まれていたものか否かを判定し、取得要求情報に含まれていたものであると判定された場合(Yes)はステップＳ４０８に移行し、そうでない場合(No)はステップＳ４１０に移行する。
ステップＳ４０８に移行した場合は、付属品情報処理部２ｆにおいて、上記索出した付属品情報をデータ通信部２ｅを介して要求元の情報処理端末３に送信してステップＳ４００に移行する。
【００７５】
一方、ステップＳ４１０に移行した場合は、付属品情報処理部２ｆにおいて、上記索出した付属品情報を表示部２ｇに表示してステップＳ４００に移行する。
また、ステップＳ４１２に移行した場合は、付属品情報処理部２ｆにおいて、入力された展示品Ｎｏに対応する付属品情報が見つからない旨のメッセージを表示してステップＳ４００に移行する。
【００７６】
更に、図１１に基づき、情報処理端末３における賃貸借情報の表示処理の流れを説明する。図１１は、情報処理端末３における賃貸借情報の表示処理を示すフローチャートである。
図１１に示すように、まずステップＳ５００に移行し、賃貸借情報受信処理部３ｂにおいて、データ通信部３ａにおいて賃貸借情報を受信したか否かを判定し、受信したと判定された場合(Yes)はステップＳ５０２に移行し、そうでない場合(No)はステップＳ５０６に移行する。
【００７７】
ステップＳ５０２に移行した場合は、賃貸借情報受信処理部３ｂにおいて、データ通信部３ａにおいて受信した賃貸借内容に関する情報を取得してステップＳ５０４に移行する。
ステップＳ５０４では、賃貸借情報受信処理部３ｂにおいて、上記取得した賃貸借内容に関する情報を情報処理端末３の有する図示しない記憶部に記憶してステップＳ５０６に移行する。
【００７８】
ステップＳ５０６では、賃貸借情報表示処理部３ｃにおいて、賃貸借情報の表示指示があったか否かを判定し、表示指示があったと判定された場合(Yes)はステップＳ５０８に移行し、そうでない場合(No)はステップＳ５００に移行する。
ステップＳ５０８に移行した場合は、賃貸借情報表示処理部３ｃにおいて、上記記憶部から賃貸借内容に関する情報を読み出し、当該読み出した賃貸借内容に関する情報を表示用情報に変換してステップＳ５１０に移行する。
ステップＳ５１０では、賃貸借情報表示処理部３ｃにおいて、表示用情報を用いて、表示部３ｈに賃貸借情報を表示してステップＳ５００に移行する。
【００７９】
更に、図１２に基づき、情報処理端末３における賃貸料金情報の表示処理の流れを説明する。図１２は、情報処理端末３における賃貸料金情報の表示処理を示すフローチャートである。
図１２に示すように、まずステップＳ６００に移行し、賃貸料金情報受信処理部３ｄにおいて、データ通信部３ａにおいて賃貸料金情報を受信したか否かを判定し、受信したと判定された場合(Yes)はステップＳ６０２に移行し、そうでない場合(No)はステップＳ６０６に移行する。
【００８０】
ステップＳ６０２に移行した場合は、賃貸料金情報受信処理部３ｄにおいて、データ通信部３ａにおいて受信した賃貸料金情報を取得し、当該取得した賃貸料金情報を賃貸料金情報表示処理部３ｅに送信してステップＳ６０４に移行する。
ステップＳ６０４では、賃貸料金情報受信処理部３ｄにおいて、上記取得した賃貸料金情報を情報処理端末３の有する図示しない記憶部に記憶してステップＳ６０６に移行する。
【００８１】
ステップＳ６０６では、賃貸料金情報表示処理部３ｅにおいて、賃貸料金情報の表示指示があったか否かを判定し、表示指示があったと判定された場合(Yes)はステップＳ６０８に移行し、そうでない場合(No)はステップＳ６００に移行する。
ステップＳ６０８では、賃貸料金情報表示処理部３ｅにおいて、上記記憶部から賃貸料金情報を読み出し、当該読み出した賃貸料金情報を表示用情報に変換してステップＳ６１０に移行する。
ステップＳ６１０では、賃貸料金情報表示処理部３ｅにおいて、表示用情報を用いて、表示部３ｈに賃貸料金情報を表示してステップＳ６００に移行する。
【００８２】
更に、図１３に基づき、情報処理端末３における付属品情報の表示処理の流れを説明する。図１３は、情報処理端末３における付属品情報の表示処理を示すフローチャートである。
図１３に示すように、まずステップＳ７００に移行し、付属品情報受信処理部３ｆにおいて、データ通信部３ａにおいて付属品情報を受信したか否かを判定し、受信したと判定された場合(Yes)はステップＳ７０２に移行し、そうでない場合(No)はステップＳ７０６に移行する。
【００８３】
ステップＳ７０２に移行した場合は、付属品情報受信処理部３ｆにおいて、データ通信部３ａにおいて受信した付属品情報を取得し、当該取得した付属品情報を付属品情報表示処理部３ｇに送信してステップＳ７０４に移行する。
ステップＳ７０４では、付属品情報受信処理部３ｆにおいて、上記取得した付属品情報を情報処理端末３の有する図示しない記憶部に記憶してステップＳ７０６に移行する。
【００８４】
ステップＳ７０６では、付属品情報表示処理部３ｇにおいて、付属品情報の表示指示があったか否かを判定し、表示指示があったと判定された場合(Yes)はステップＳ７０８に移行し、そうでない場合(No)はステップＳ７００に移行する。
ステップＳ７０８では、付属品情報表示処理部３ｇにおいて、上記記憶部から付属品情報を読み出し、当該読み出した付属品情報を表示用情報に変換してステップＳ７１０に移行する。
ステップＳ７１０では、付属品情報表示処理部３ｇにおいて、表示用情報を用いて、表示部３ｈに付属品に関する情報を表示してステップＳ７００に移行する。
【００８５】
上記したように、展示品管理支援システム１は、展示品管理用サーバ２において、転移品管理者が商品販売業者に賃貸した展示品の賃貸借内容に関する情報を、賃貸先の商品販売業者の管理下にある情報処理端末に送信することが可能である。一方、情報処理端末３は、展示品管理用サーバ２から受信した賃貸借内容に関する情報に基づき、賃貸借内容の明示した賃貸借情報を表示部に表示することが可能である。
【００８６】
また、展示品管理用サーバ２において、賃貸した展示品の賃貸期間について、当該賃貸期間が設定期間を経過した展示品の賃貸料金を算出し、当該算出した賃貸料金の情報を該当する賃貸先の情報処理端末３に送信することが可能である。一方、情報処理端末３は、展示品管理用サーバ２から受信した賃貸料金情報を表示部に表示することが可能である。
また、展示品管理用サーバ２において、展示品Ｎｏを入力することにより、当該展示品Ｎｏに対応する展示品の付属品情報を検索して表示部３ｈに表示することが可能である。
【００８７】
また、情報処理端末３において、賃借している展示品の付属品に関する情報の取得要求情報を生成して、展示品管理用サーバ２に送信することが可能であり、展示品管理用サーバ２は、情報処理端末３からの取得要求情報に基づき、展示品情報記憶部２ｂから取得要求情報に対応する展示品の付属品情報を検出して、当該検出した付属品情報を要求元の情報処理端末３に送信することが可能である。そして、情報処理端末３は、展示品管理用サーバ２から受信した付属品情報を表示部３ｈに表示することが可能である。
【００８８】
上記実施の形態において、賃貸借情報取得部２ａ及び展示品情報記憶部２ｂによる賃貸借内容に関する情報の記憶処理は、請求項１、６及び１３のいずれか１に記載の賃貸借情報取得手段に対応し、賃貸借情報送信処理部２ｃ及びデータ通信部２ｅによる賃貸借内容に関する情報の情報処理端末３への送信処理は、請求項１、６及び１３のいずれか１に記載の賃貸借情報送信手段に対応し、賃貸料金算出部２ｄにおける賃貸料金の算出処理は、請求項３又は７に記載の賃貸料金算出手段に対応し、賃貸料金算出部２ｄ及びデータ通信部２ｅによる賃貸料金情報の情報処理端末３への送信処理は、請求項３又は７に記載の賃貸料金情報送信手段に対応し、賃貸借情報取得部２ａ及び展示品情報記憶部２ｂによる付属品情報の記憶処理は、請求項４又は８に記載の付属品情報記憶手段に対応し、付属品情報処理部２ｆ及び表示部２ｇによる展示品Ｎｏの入力に対する付属品情報の検索及び表示処理は、請求項４又は８に記載の付属品情報表示手段に対応し、付属品情報処理部２ｆ及びデータ通信部２ｅによる情報処理端末３からの付属品情報の取得要求情報の受信処理は、請求項５又は９に記載の取得要求情報受信手段に対応し、付属品情報処理部２ｆ及びデータ通信部２ｅによる付属品情報の情報処理端末３への送信処理は、請求項５又は９に記載の付属品情報送信手段に対応する。
【００８９】
また、上記実施の形態において、データ通信部３ａ及び賃貸借情報受信処理部３ｂによる展示品管理用サーバ２からの賃貸借内容に関する情報の受信処理は、請求項１、１０及び１４のいずれか１に記載の賃貸借情報受信手段に対応し、賃貸借情報表示処理部３ｃ及び表示部３ｈによる賃貸借情報の表示処理は、請求項１、１０及び１４のいずれか１に記載の賃貸借情報報知手段に対応し、データ通信部３ａ及び賃貸料金情報受信処理部３ｄによる賃貸料金情報の受信処理は、請求項３又は１１に記載の賃貸料金情報受信手段に対応し、賃貸料金情報表示処理部３ｅ及び表示部３ｈによる賃貸料金情報の表示処理は、請求項３又は１１に記載の賃貸料金情報報知手段に対応し、データ通信部３ａ及び付属品情報処理部３ｆによる付属品情報の取得要求情報の送信処理は、請求項５又は１２に記載の取得要求情報送信手段に対応し、データ通信部３ａ及び付属品情報処理部３ｆによる付属品情報の受信処理は、請求項５又は１２に記載の付属品情報受信手段に対応し、付属品情報表示処理部３ｇ及び表示部３ｈによる付属品情報の表示処理は、請求項５又は１２に記載の付属品情報報知手段に対応する。
【００９０】
なお、上記実施の形態においては、賃貸借情報を情報処理端末３の表示部３ｈに単に表示することによって商品販売業者に賃貸借情報を報知するようにしたが、これに限らず、賃貸借情報を受信したことを音声等で知らせてから表示したり、印刷して出力したりするなど別の方法で報知するようにしても良い。
【図面の簡単な説明】
【００９１】
【図１】本発明に係る展示品管理支援システム１の構成を示すブロック図である。
【図２】展示品管理用サーバ２の詳細構成を示すブロック図である。
【図３】情報処理端末３の詳細構成を示すブロック図である。
【図４】展示品の賃貸を行うサービスの一例を示す図である。
【図５】（ａ）は、情報処理端末３において表示される賃貸内容に関する情報の一例を示す図であり、（ｂ）は、情報処理端末３において表示される賃貸料金の情報の一例を示す図である。
【図６】展示品管理用サーバ２において表示部に表示される付属品情報の一例を示す図である。
【図７】展示品管理用サーバ２における展示品情報の記憶処理を示すフローチャートである。
【図８】展示品管理用サーバ２における賃貸借情報の送信処理を示すフローチャートである。
【図９】展示品管理用サーバ２における賃貸料金の算出処理を示すフローチャートである。
【図１０】展示品管理用サーバ２における付属品情報の表示処理を示すフローチャートである。
【図１１】情報処理端末３における賃貸借情報の表示処理を示すフローチャートである。
【図１２】情報処理端末３における賃貸料金情報の表示処理を示すフローチャートである。
【図１３】情報処理端末３における付属品情報の表示処理を示すフローチャートである。
【符号の説明】
【００９２】
１                展示品管理支援システム
２                展示品管理用サーバ
２ａ              賃貸借情報取得部
２ｂ              展示品情報記憶部
２ｃ              賃貸借情報送信処理部
２ｄ              賃貸料金算出部
２ｅ              データ通信部
２ｆ              付属品情報処理部
２ｇ              表示部
３，３Ａ〜３Ｄ    情報処理端末
３ａ              データ通信部
３ｂ              賃貸借情報受信処理部
３ｃ              賃貸借情報表示処理部
３ｄ              賃貸料金情報受信処理部
３ｅ              賃貸料金情報表示処理部
３ｆ              付属品情報処理部
３ｇ              付属品情報表示処理部
３ｈ              表示部
４                インターネット
【図１】
2005346143.tif 000003
【図２】
2005346143.tif 000004
【図３】
2005346143.tif 000005
【図４】
2005346143.tif 000006
【図５】
2005346143.tif 000007
【図６】
2005346143.tif 000008
【図７】
2005346143.tif 000009
【図８】
2005346143.tif 000010
【図９】
2005346143.tif 000011
【図１０】
2005346143.tif 000012
【図１１】
2005346143.tif 000013
【図１２】
2005346143.tif 000014
【図１３】
2005346143.tif 000015